(57)【要約】  シリンダ及び制御素子は、施錠具の分野に属する。制御素子はシリンダ及び電動ロック機構を含み、シリンダは鏡面対称の２つのシリンダ機構（Ｂ）を含み、２つの前記シリンダ機構（Ｂ）は共同で１つのデッドボルト制御環（１）を駆動する。前記シリンダ機構（Ｂ）は電動ロック環（２、９）及び制御カラム（８、１１）を含み、２つの前記制御カラム（８、１１）に第１制御ピン（７１）及び第２制御ピン（７２）が各種設けられ、前記第１制御ピン（７１）及び第２制御ピン（７２）は回転ロッド（８１）を中心にして公転する。第１制御ピン（７１）がデッドボルト制御環（１）をロック解除の回転方向に制御すること、及び第２制御ピン（７２）がデッドボルト制御環（１）をロック解除の回転方向に制御することは同じである。これはドアの両側で等しく操作することができ、ドアの両側で単独で操作するとき、互いに干渉しない。デッドボルトを１つのみ有して、構造が簡単である。さらに単一のモータが、両側に対して干渉せずに交互に出力することを実現した。【選択図】図４
2021529899.tif 000002
【特許請求の範囲】
【請求項１】
鏡面対称の２つのシリンダ機構を含み、２つの前記シリンダ機構は共同で１つのデッドボルト制御環を駆動し；
前記シリンダ機構は電動ロック環及び制御カラムを含み、前記制御カラムは順番に前記電動ロック環及び前記デッドボルト制御環の回転中心を通過し；
２つの制御ロッドのうち１つの制御ロッドの端面に回転ロッドが設置され、もう１つの制御ロッドの端面にカウンターボアを有し、回転ロッドはカウンターボア内に挿入され、回転ロッドはカウンターボア内で回転することができ、前記回転ロッドが前記デッドボルト制御環を固定されずに通過し、前記デッドボルト制御環は回転ロッドを中心にして回転することができ；
２つの前記制御ロッドに第１制御ピン及び第２制御ピンが各種設けられ、前記第１制御ピン及び第２制御ピンは回転ロッドを中心にして公転し、第１制御ピンがデッドボルト制御環をロック解除の回転方向に制御すること、及び第２制御ピンがデッドボルト制御環をロック解除の回転方向に制御することは同じであり；
前記第１制御ピンは順番に第１鏡面の電動ロック環、デッドボルト制御環及び第２鏡面の電動ロック環を通過し、前記第２鏡面の電動ロック環は前記第１制御ピンのロック、ロック解除動作を制限し、前記第１鏡面の電動ロック環は前記第１制御ピンのロック解除動作を制限せず；
前記第２制御ピンは順番に第２鏡面の電動ロック環、デッドボルト制御環及び第１鏡面の電動ロック環を通過し、前記第１鏡面の電動ロック環は前記第２制御ピンのロック、ロック解除動作を制限し、前記第２鏡面の前記電動ロック環は前記第２制御ピンのロック解除動作を制限しないことを特徴とするシリンダ。
【請求項２】
前記シリンダ機構が機械的ロック環をさらに含み、前記機械的ロック環及び前記制御ロッドは同時に回転することを特徴とする、請求項１に記載のシリンダ。
【請求項３】
前記シリンダ機構は弾性リターン材をさらに含み、前記弾性リターン材は前記制御カラムと回転トルクを形成し、前記弾性リターン材はロック解除の反対方向に前記電動ロック環を牽引することを特徴とする、請求項１に記載のシリンダ。
【請求項４】
第１制御ピン及び第２制御ピンの横断面が扇形であり、扇形の弧度はｍであり；
第１鏡面の電動ロック環に２つの弧状貫通孔を有し、１つの弧状貫通孔の弧度は２ｍであり、もう１つの弧状貫通孔の弧度は３ｍであり；
第１制御ピンは第１鏡面の電動ロック環における３ｍ弧度の弧状貫通孔と係合し、第１制御ピンは第１鏡面の電動ロック環における弧状貫通孔内で時計周り及び反時計回りに同じ角度回転することができ、第１制御ピンが第１鏡面の電動ロック環における３ｍ弧度の弧状貫通孔の中間位置にあるとき、第１鏡面の電動ロック環は準備状態にあり；
第１制御ピンはデッドボルト制御環の２ｍ弧度の弧状貫通孔と係合し、第１制御ピンがロック解除方向に回転するとき、デッドボルト制御環は続いて回転し、第１制御ピンがロック解除の反対方向にｍ弧度回転するとき、デッドボルト制御環は回転せず；
第１制御ピンは第２鏡面の電動ロック環における２ｍ弧度の弧状貫通孔と係合し、第２鏡面の電動ロック環（９）がロックされた場合、第１制御ピンはロック解除方向に回転することができず、第１制御ピンはロック解除の反対方向にｍ弧度回転することができることを特徴とする、請求項１に記載のシリンダ。
【請求項５】
電動ロック機構も含み、前記電動ロック機構は前記電動ロック環の回転の変位を制限することを特徴とする、請求項１〜４のいずれか１項に記載のシリンダを含む制御素子。
【請求項６】
前記電動ロック機構がモータ、鏡面対称の２組の伝動機構及び鏡面対称の２つの出力素子を含み、２組の前記伝動機構は１つの前記モータを共用して駆動され、前記伝動機構は前記モータの運動エネルギーを前記出力素子に伝動し；
前記モータ出力端に駆動歯車が設けられ、前記駆動歯車が前記モータの出力軸に嵌められ；
２組の前記伝動機構はいずれも入力歯車を含み、２つの前記入力歯車はいずれも冠歯車であり、２つの前記入力歯車の回転軸は互いに平行であり；
１つの前記駆動歯車は２つの前記入力歯車とそれぞれ噛合し、２つの前記入力歯車は前記駆動歯車の噛合する円周上で１８０度間隔が開くことを特徴とする、請求項５に記載の制御素子。
【請求項７】
前記伝動機構が中間歯車及び出力歯車をさらに含み、
このうち、前記入力歯車が前記中間歯車を回転させ、前記中間歯車は出力歯車と噛合することを特徴とする、請求項６に記載の制御素子。
【請求項８】
前記中間歯車が第１中間歯車、第２中間歯車及び第３中間歯車を含み、
このうち、前記入力歯車は前記第１中間歯車と同軸で固定され、前記第１中間歯車、第２中間歯車、第３中間歯車及び出力歯車は順番に噛合することを特徴とする、請求項７に記載の制御素子。
【請求項９】
前記第１中間歯車に回転軸が固定され、回転軸に１つのオーバーランニングクラッチが固定して嵌められ、前記オーバーランニングクラッチに第１中間歯車が嵌められることを特徴とする、請求項８に記載の制御素子。
【請求項１０】
前記第３中間歯車が前記出力歯車に一方向で出力することを特徴とする、請求項９に記載の制御素子。
【請求項１１】
錠ケースに回転軸が設置され、回転軸に１つのオーバーランニングクラッチが嵌められ、オーバーランニングクラッチにさらに前記第３中間歯車が嵌められることを特徴とする、請求項１０に記載の制御素子。
【請求項１２】
前記出力素子が電動位置止めフックであり、
前記電動位置止めフックの一端はフック部端であり、前記電動位置止めフックのもう一端は心棒接続端であり、前記電動位置止めフックに楕円貫通孔が設けられ、前記電動位置止めフックは心棒接続端を中心にして揺動し；
前記出力歯車の端面に偏心カラムが設けられ、前記偏心カラムは前記楕円貫通孔を通過し；
前記出力歯車が回転するとき、前記偏心カラムは出力歯車の中心軸を中心にして公転し、前記偏心カラムは前記電動位置止めフックを揺動させることを特徴とする、請求項６に記載の制御素子。
【請求項１３】
前記電動ロック機構に鏡面対称の２つの自動ロック解除カムが設けられ、２つの自動ロック解除カムは２つの前記伝動機構に駆動され；
前記シリンダに鏡面対称の２つの電動ロック解除カムが設けられ、前記電動ロック解除カムは前記制御ロッドと同時に回転し；
前記電動ロック解除カムの突出部分が、前記自動ロック解除カムの突出部分の回転軌道上にあるとき、前記自動ロック解除カムは前記電動ロック解除カムを回転させることを特徴とする、請求項６に記載の制御素子。
【発明の詳細な説明】
【技術分野】
【０００１】
本発明は施錠具の分野に属し、具体的に、シリンダ及び制御素子である。
【背景技術】
【０００２】
既存の錠前は出荷時に室内及び室外で区分され、これにより私的空間及び公共空間の区分を実現する。錠前を取り付けるとき、両側のいずれも同じ操作を行う必要があれば、実現することができない。既存の錠前は、片側はロックの権限を有し、もう片側はロックの権限を有さない。これらを切り替えることはできず、既存の錠前は１つの使用形式のみを有する。実際の需要に基づいて、機能を選択、調整することはできない。
【０００３】
共有領域で、従来の錠前を採用した場合、必然的に一方向しか操作することができず、空間の共有に不利である。双方向のいずれも該ドアをロックすることができない場合、私的空間のプライバシーは保障することができない。例えば銀行の保安システムは、２つのドアがあるとき、１つのドアから入り、１つのドアから出る。既存の錠前の実現形態は複雑で、入る又は出るドアのタイプを随意に入れ替えることはできない。
【発明の概要】
【発明が解決しようとする課題】
【０００４】
本発明の目的は、ドアの両側で等しく操作することができ、ドアの両側で単独で操作するときに互いに干渉せず、デッドボルトを１つのみ有して構造が簡単であり、両側の開閉制御に対して１つのモータのみが必要であり、体積がより小さく、構造がより簡素化されたシリンダ及び制御素子を提供することである。
【課題を解決するための手段】
【０００５】
上記技術的目的を実現するため、本発明が採用する技術案は以下の通りである。
【０００６】
シリンダは、鏡面対称の２つのシリンダ機構を含み、２つの前記シリンダ機構は共同で１つのデッドボルト制御環を駆動する。
【０００７】
前記シリンダ機構は電動ロック環及び制御カラムを含み、前記制御カラムは順番に前記電動ロック環及び前記デッドボルト制御環の回転中心を通過する。
【０００８】
２つの前記制御ロッドのうち１つの制御ロッドの端面に回転ロッドが設置され、もう１つの制御ロッドの端面にカウンターボアを有する。回転ロッドはカウンターボア内に挿入され、回転ロッドはカウンターボア内で回転することができる。前記回転ロッドは前記デッドボルト制御環を固定されずに通過し、前記デッドボルト制御環は回転ロッドを中心にして回転することができる。
【０００９】
２つの前記制御ロッドに第１制御ピン及び第２制御ピンが各種設けられ、前記第１制御ピン及び第２制御ピンは回転ロッドを中心にして公転する。第１制御ピンがデッドボルト制御環をロック解除の回転方向に制御すること、及び第２制御ピンがデッドボルト制御環をロック解除の回転方向に制御することは同じである。
【００１０】
前記第１制御ピンは順番に第１鏡面の電動ロック環、デッドボルト制御環及び第２鏡面の電動ロック環を通過する。前記第２鏡面の電動ロック環は前記第１制御ピンのロック、ロック解除動作を制限し、前記第１鏡面の電動ロック環は前記第１制御ピンのロック解除動作を制限しない。
【００１１】
前記第２制御ピンは順番に第２鏡面の電動ロック環、デッドボルト制御環及び第１鏡面の電動ロック環を通過する。前記第１鏡面の電動ロック環は前記第２制御ピンのロック、ロック解除動作を制限し、前記第２鏡面の前記電動ロック環は前記第２制御ピンのロック解除動作を制限しない。
【００１２】
シリンダのさらなる限定として、前記シリンダ機構は機械的ロック環をさらに含み、前記機械的ロック環及び前記制御ロッドは同時に回転する。
【００１３】
シリンダのさらなる限定として、前記シリンダ機構は弾性リターン材をさらに含む。前記弾性リターン材は前記制御カラムと回転トルクを形成し、前記弾性リターン材はロック解除の反対方向に前記電動ロック環を牽引する。
【００１４】
シリンダのさらなる限定として、第１制御ピン及び第２制御ピンの横断面はいずれも扇形であり、扇形の弧度はｍである。
【００１５】
第１鏡面の電動ロック環に２つの弧状貫通孔を有し、１つの弧状貫通孔の弧度は２ｍであり、もう１つの弧状貫通孔の弧度は３ｍである。
【００１６】
第１制御ピンは第１鏡面の電動ロック環における３ｍ弧度の弧状貫通孔と係合し、第１制御ピンは第１鏡面の電動ロック環の弧状貫通孔内で時計周り及び反時計回りに同じ角度回転することができる。第１制御ピンが第１鏡面の電動ロック環における３ｍ弧度の弧状貫通孔の中間位置にあるとき、第１鏡面の電動ロック環は準備状態にある。
【００１７】
第１制御ピンはデッドボルト制御環における２ｍ弧度の弧状貫通孔と係合する。第１制御ピンがロック解除方向に回転するとき、デッドボルト制御環は続いて回転し、第１制御ピンがロック解除の反対方向にｍ弧度回転するとき、デッドボルト制御環は回転しない。
【００１８】
第１制御ピンは第２鏡面の電動ロック環における２ｍ弧度の弧状貫通孔と係合する。第２鏡面の電動ロック環９がロックされた場合、第１制御ピンはロック解除方向に回転することができず、第１制御ピンはロック解除の反対方向にｍ弧度回転することができる。
【００１９】
制御素子はシリンダを含み、電動ロック機構も含む。前記電動ロック機構は前記電動ロック環の回転の変位を制限する。
【００２０】
制御素子のさらなる限定として、前記電動ロック機構はモータ、鏡面対称の２組の伝動機構及び鏡面対称の２つの出力素子を含む。２組の前記伝動機構は１つの前記モータを共用して駆動され、前記伝動機構は前記モータの運動エネルギーを前記出力素子に伝動する。
【００２１】
前記モータ出力端に駆動歯車が設けられ、前記駆動歯車は前記モータの出力軸に嵌められる。
【００２２】
２組の前記伝動機構はいずれも入力歯車を含み、２つの前記入力歯車はいずれも冠歯車である。２つの前記入力歯車の回転軸は相互に平行である。
【００２３】
１つの前記駆動歯車は２つの前記入力歯車とそれぞれ噛合し、２つの前記入力歯車は前記駆動歯車の噛合する円周上で１８０度間隔が開く。
【００２４】
制御素子のさらなる限定として、前記伝動機構は中間歯車及び出力歯車をさらに含む。
【００２５】
このうち、前記入力歯車は前記中間歯車を回転させ、前記中間歯車は出力歯車と噛合する。
【００２６】
制御素子のさらなる限定として、前記中間歯車は第１中間歯車、第２中間歯車及び第３中間歯車を含む。このうち、前記入力歯車は前記第１中間歯車と同軸で固定され、前記第１中間歯車、第２中間歯車、第３中間歯車及び出力歯車は順番に噛合する。
【００２７】
制御素子のさらなる限定として、前記第１中間歯車に回転軸が固定される。回転軸に１つのオーバーランニングクラッチが固定して嵌められ、前記オーバーランニングクラッチに前記第１中間歯車が嵌められる。
【００２８】
制御素子のさらなる限定として、前記第３中間歯車は前記出力歯車に一方向で出力する。
【００２９】
制御素子のさらなる限定として、錠ケースに回転軸が設置される。回転軸に１つのオーバーランニングクラッチが嵌められ、オーバーランニングクラッチにさらに前記第３中間歯車が嵌められる。
【００３０】
制御素子のさらなる限定として、前記出力素子は電動位置止めフックであり、前記電動位置止めフックの一端はフック部端であり、前記電動位置止めフックのもう一端は心棒接続端である。前記電動位置止めフックに楕円貫通孔が設けられ、前記電動位置止めフックは心棒接続端を中心にして揺動する。
【００３１】
前記出力歯車の端面に偏心カラムが設けられ、前記偏心カラムは前記楕円貫通孔を通過する。
【００３２】
前記出力歯車が回転するとき、前記偏心カラムは出力歯車の中心軸を中心にして公転し、前記偏心カラムは前記電動位置止めフックを揺動させる。
【００３３】
制御素子のさらなる限定として、前記電動ロック機構に鏡面対称の２つの自動ロック解除カムが設けられ、２つの自動ロック解除カムは２つの前記伝動機構に駆動される。
【００３４】
前記シリンダに鏡面対称の２つの電動ロック解除カムが設けられ、前記電動ロック解除カムは前記制御ロッドと同時に回転する。
【００３５】
前記電動ロック解除カムの突出部分が、前記自動ロック解除カムの突出部分の回転軌道上にあるとき、前記自動ロック解除カムは前記電動ロック解除カムを回転させる。
【発明の効果】
【００３６】
本発明を既存技術と比較する。
【００３７】
１、両側で独立して操作することができ、これにより両側のいずれも公共空間又は私的空間とすることができる。
【００３８】
２、モータロックシステムによりシリンダ機構に対してロック動作を行い、自動制御の実現に有利である。１つのモータの正逆回転が両側での独立した開閉動作を実現し、さらに両側は干渉せず、構造は簡素化される。
【００３９】
３、モータロックシステムは、シリンダ機構をロック及びロック解除する機能以外に、自動ロック解除カム及び電動ロック解除カムを係合することにより、取っ手を準備状態まで戻すこともでき、停電によりロックされる状態を防止した。
【００４０】
４、機能が豊富であるが、構造はコンパクトで、適応範囲が広い。
【００４１】
５、一方向の歯車伝動を採用し、振動により構造の信頼性に及ぼす影響が起こりにくい。
【００４２】
６、両側で独立して操作すると同時に、１つの回転デッドボルトを共用する。構造が簡略化すると同時に、機能がより優れている。
【００４３】
７、電動ロック機構が回転を周期的揺動に変えることにより、制御の誤差を減少させる。これにより制御はより簡単で、さらに正確で信頼できる。
【００４４】
本発明は、図に示す非限定的な実施例により、さらに説明することができる。
【図面の簡単な説明】
【００４５】
【図１】図１は、本発明の一実施例における錠前の構造概要図である。
【図２】図２は、本発明の一実施例における錠前をドアに取り付けたときの構造概要図である。
【図３】図３は、本発明の一実施例における錠前を解体した構造概要図である。
【図４】図４は、本発明の一実施例における錠前の分解概要図である。
【図５】図５は、本発明の一実施例における錠前のデッドボルト機構Ｅの動作概要図である。
【図６】図６は、本発明の一実施例における錠前の機械的ロックシステムＤ及びシリンダ機構Ｂを係合した構造概要図である。
【図７】図７は、一実施例におけるモータロックシステムＣ及び電動ロック解除カム６を係合した自動ロック解除過程の概要図である。
【図８】図８は、一実施例におけるモータロックシステムＣ及び電動ロック環２、９の構造概要図である。
【図９】図９は、一実施例におけるシリンダ機構Ｂの構造概要図である。
【図１０】図１０は、一実施例におけるデッドボルト機構Ｅ及びデッドボルト収容機構を係合した構造概要図である。
【図１１】図１１は、一実施例におけるデッドボルト収容機構の立体図である。
【図１２】図１２は、本発明の別の実施例における錠前をドアに取り付けたときの構造概要図である。
【図１３】図１３は、本発明の別の実施例における錠前を解体した構造概要図である。
【図１４】図１４は、本発明の別の実施例における錠前の分解概要図である。
【図１５】図１５は、本発明の別の実施例における錠前のデッドボルト機構Ｅの動作概要図である。
【図１６】図１６は、本発明の別の実施例における錠前の機械的ロックシステムＤ及びシリンダ機構Ｂを係合した構造概要図である。
【図１７】図１７は、本発明の別の実施例におけるデッドボルト機構Ｅ及びデッドボルト収容機構を係合した構造概要図である。
【図１８】図１８は、本発明の別の実施例におけるデッドボルト収容機構の立体図である。
【発明を実施するための形態】
【００４６】
当業者がより良好に本発明を理解することができるようにするため、以下、図及び実施例を組み合わせて本発明の技術案についてさらに説明する。
【実施例１】
【００４７】
図１〜図１１に示すように、公共空間及び私的空間を問わない錠前は、構造が同じ２つのサブロックシステムを含み、２つの前記サブロックシステムは鏡面対称に配置される。
【００４８】
２つの前記サブロックシステムは、いずれもシリンダ機構Ｂ、機械的ロック機構Ｄ及びモータロックシステムＣを含む。２つの前記シリンダ機構Ｂは、１つのデッドボルト機構Ｅを共同で運動させる。
【００４９】
図１〜図６に示すように、前記シリンダ機構Ｂはデッドボルト制御環１、機械的ロック環４、１０、電動ロック環２、９、制御カラム８、１１、電動ロック解除カム６及び引っ張りバネ３を含む。
【００５０】
前記デッドボルト制御環１は前記デッドボルト機構Ｅとの係合を制御する。
【００５１】
前記引っ張りバネ３は前記制御カラム８、１１と回転トルクを形成し、前記引っ張りバネ３はロック解除の反対方向に前記電動ロック環２、９を牽引する。
【００５２】
図４に示すように、２つの前記シリンダ機構Ｂは１つの前記デッドボルト制御環１を共用する。前記制御カラム８、１１は同一軸上にあり、同軸で回転することができる。
【００５３】
図４に示すように、２つの制御ロッド８、１１の横断面は矩形であり、２つの制御ロッド８、１１のうち１つの制御ロッド８の端面に回転ロッド８１が設置され、もう１つの制御ロッド１１の端面にカウンターボアを有する。回転ロッド８１はカウンターボア内に挿入され、回転ロッド８１はカウンターボア内で回転することができる。前記回転ロッド８１は前記デッドボルト制御環１を固定されずに通過し、前記デッドボルト制御環１は回転ロッド８１を中心にして回転することができる。
【００５４】
図９に示すように、Ｎ１は自動ロック解除カム２１の運動の軌道であり、Ｎ２は自動ロック解除カム２４の運動の軌道である。
【００５５】
Ｚ１はロック解除状態、Ｚ２は準備状態、Ｚ３は手動でデッドボルトをロックした状態である。Ｚ２は図９で時計回りに回転させてＺ１状態になり、反時計回りに回転させてＺ３状態になる。
【００５６】
図４、図９に示すように、制御ロッド８、１１のいずれにも制御スリーブ７が嵌められ、前記制御ロッド８、１１は前記制御スリーブ７とスプラインにより係合する。２つの制御スリーブ７に第１制御ピン７１及び第２制御ピン７２が各種設けられ、前記第１制御ピン７１及び第２制御ピン７２は回転ロッド８１を中心にして公転する。第１制御ピン７１がデッドボルト制御環１をロック解除の方向に制御すること、及び第２制御ピン７２がデッドボルト制御環１をロック解除の方向に制御することは同じである。
【００５７】
図４、図９に示すように、前記制御スリーブ７は順番に電動ロック解除カム６及び機械的ロック環４を通過し、前記制御スリーブ７はそれぞれ電動ロック解除カム６及び機械的ロック環４とスプラインにより係合する。前記第１制御ピン７１は順番に電動ロック解除カム６、機械的ロック環４、電動ロック環２、デッドボルト制御環１及び電動ロック環９を通過する。前記第１制御ピンが取っ手に伴って回転するとき、前記電動ロック環２は回転せず、前記デッドボルト制御環１は回転し、前記電動ロック環９は回転する。前記第２制御ピン７２は順番に電動ロック解除カム６、機械的ロック環１０、電動ロック環９、デッドボルト制御環１及び電動ロック環２を通過する。前記第２制御ピン７２が取っ手に伴って回転するとき、前記電動ロック環９は回転せず、前記デッドボルト制御環１は回転し、前記電動ロック環２は回転する。
【００５８】
図４、図９に示すように、ここで実現する形態は次の通りである。第１制御ピン７１及び第２制御ピン７２の横断面はいずれも扇形であり、扇形の弧度はｍである。電動ロック環２に２つの弧状貫通孔を有し、１つの弧状貫通孔の弧度は２ｍであり、もう１つの弧状貫通孔の弧度は３ｍである。第１制御ピン７１は電動ロック環２の３ｍ弧度の弧状貫通孔と係合し、第１制御ピン７１は電動ロック環２の弧状貫通孔内で時計回り及び反時計回りに同じ角度回転することができる。第１制御ピン７１が電動ロック環２における３ｍ弧度の弧状貫通孔の中間位置にあるとき、電動ロック環２は準備状態にある。第１制御ピン７１はデッドボルト制御環１の２ｍ弧度の弧状貫通孔と係合し、第１制御ピン７１がロック解除方向に回転するとき、デッドボルト制御環１は続けて回転する。第１制御ピン７１がロック解除の反対方向にｍ弧度回転するとき、デッドボルト制御環１は回転しない。第１制御ピン７１は電動ロック環９の２ｍ弧度の弧状貫通孔と係合し、電動ロック環９がロックされた場合、第１制御ピン７１はロック解除方向に回転することができず、第１制御ピン７１はロック解除の反対方向にｍ弧度回転することができる。第１制御ピン７１及び第２制御ピン７２の構造は類似するため、ここでは述べない。
【００５９】
図４、図９に示すように、動作工程を説明する。電動ロック環２がロックされたとき、制御ロッド１１はロック解除方向の動作を実現することができず、電動ロック環９がロックされたとき、制御ロッド８はロック解除方向の回転を実現することができない。制御ロッド８、１１は単独でデッドボルト制御環１を制御し、互いに干渉することはない。機械的ロック環４は制御カラム８と同時に回転し、機械的ロック環１０は制御カラム１１と同時に回転する。
【００６０】
図１０、図１１に示すように、前記デッドボルト機構Ｅは回転デッドボルト１６及びねじりバネ１７を含む。
【００６１】
前記回転デッドボルト１６に回転心棒が固定して設けられ、前記回転デッドボルト１６は前記回転心棒を中心にして回転する。
【００６２】
前記ねじりバネ１７は、前記回転デッドボルト１６が閉じた状態を保持するように制御する。
【００６３】
前記回転デッドボルト１６は前記デッドボルト制御環１と係合する。
【００６４】
前記回転デッドボルト１６は板状構造で、半円形状である。
【００６５】
前記回転デッドボルト１６に案内溝１６１を有し、前記デッドボルト制御環１にフック１ａが設けられ、前記フック１ａは前記案内溝１６１内に進入する。
【００６６】
前記案内溝１６１内に位置制限突起１６１１が設けられ、前記フック１ａが前記位置制限突起１６１１と係合する。前記デッドボルト１６の回転過程で、前記フック１ａ及び前記位置制限突起１６１１は相対して回転すると同時に、さらに相対してスライドする。
【００６７】
前記回転デッドボルト１６の末端の角に位置止めブロック１６２が設けられ、前記位置止めブロック１６２及び前記デッドボルト制御環１の出力端はそれぞれ前記回転心棒の両側に位置する。
【００６８】
前記位置止めブロック１６２は前記回転デッドボルト１６の末端の角部分に固定され、前記位置止めブロック１６２及び前記回転デッドボルト１６の各面がつながる部分はいずれも段状構造であり、前記位置止めブロック１６２は突起部分である。
【００６９】
前記位置止めブロック１６２及び前記回転デッドボルト１６の非接続面は斜面又は曲面であり、前記位置止めブロック１６２及び前記回転デッドボルト１６の接続端は重要な部分である。
【００７０】
前記位置止めブロック１６２及び前記回転デッドボルト１６の非接続面が斜面であるとき、前記斜面は少なくとも３つある。このうちの２つの斜面は鏡面対称となり、もう１つの斜面は鏡面対称となる２つの前記斜面と接続される。
【００７１】
図１０、図１１に示すように、デッドボルト機構Ｅと係合するデッドボルト収容機構は、収容空洞ｂ１及び仕切り板ｂ２を含み、前記収容空洞ｂ１の空洞口は前記仕切り板ｂ２に遮られる。前記仕切り板ｂ２は第１貫通孔ｂ２１及び第２貫通孔ｂ２２を有し、前記位置止めブロック１６２は前記第１貫通孔ｂ２１内に回転して進入することができ、前記回転デッドボルト１６は前記第２貫通孔ｂ２２内に回転して進入することができる。前記第１貫通孔ｂ２１の孔口は矩形、前記第２貫通孔ｂ２２の孔口は矩形であり、前記第１貫通孔ｂ２１及び前記第２貫通孔ｂ２２は「凸」を逆さまにした構造を形成する。
【００７２】
動作工程：ドアが閉じた状態のとき、位置止めブロック１６２は収容空洞ｂ１内に位置し、ねじりバネ１７は回転デッドボルト１６に圧力を付与し、これにより回転デッドボルト１６は時計回りに回転する傾向を有する。フック１ａの末端は案内溝１６１内に進入し、さらに位置制限突起１６１１と係合してフック１ａが時計回りに回転するとき、回転デッドボルト１６は反時計回りに回転し、位置止めブロック１６２は第１貫通孔ｂ２１部分から回転して出る。ドア板内に回転して入ると、ドア板を押し動かして、ドアを開ける動作を実現する。ドアを閉じる動作を必要とするとき、同じ操作を行う。
【００７３】
デッドボルト機構Ｅの特徴：１、回転により開閉動作を実現し、非正常な状況での誤操作を防止する。２、位置止めブロックの設置により、回転デッドボルトが収容空洞に回転して進入した後にかみ合う。逆方向に回転させないと開く動作を行うことができず、ロック状態がより信頼できる。３、板状構造の回転デッドボルトは、幅が比較的広く、ドアの無理な突破に対するとき、より大きなせん断力を受けることができる。４、引き戸、折れ戸などに適用される。ドアを開く方向を変えるとき、デッドボルトの方向の設定が省かれる。すなわちドアを開く２つの方向は等しい。
【００７４】
図１〜図８に示すように、機械的ロックシステムＤ及びモータロックシステムＣについて、前記機械的ロックシステムＤは前記機械的ロック環４、１０と係合し、前記モータロックシステムＣは前記電動ロック環２、９と係合する。
【００７５】
図１〜図８に示すように、機械的ロック位置センサＡ１をさらに含み、前記機械的ロック位置センサＡ１は前記機械的ロックシステムＤの状態位置に定位される。機械的ロック環４、１０に検出棒状板５が設けられ、検出棒状板５は棒状孔５１を有する。１つの心棒が棒状孔５１を通過し、検出棒状板５は心棒を中心にして回転することができる。機械的ロック位置センサＡ１は機械作動センサを採用し、運動時に異なる位置の機械的ロック位置センサＡ１を作動させ、これによりトラッキングを実現する。
【００７６】
図１〜図８に示すように、モータロック位置センサＡ２がさらに含まれ、前記モータロック位置センサＡ２は前記モータロックシステムＣの状態位置に定位される。モータロック位置センサＡ２は、機械作動センサを採用することができる。モータロック位置センサＡ２は電動位置止めフック１９の位置に定位される。
【００７７】
機械的ロック位置センサＡ１及びモータロック位置センサＡ２は、センサシステムＡを構成する。
【００７８】
図１〜図８に示すように、前記機械的ロックシステムＤは機械的ロックカム１２、１３、圧縮バネ１５、接続片１４及び機械的ロック筐体３０を含む。接続片１４にノッチを有し、圧縮バネ１５はノッチ内に位置する。
【００７９】
前記圧縮バネ１５は前記機械的ロック筐体３０内に位置し、前記接続片１４の一部は前記機械的ロック筐体３０内に固定されずに進入する。前記接続片１４の一端は前記圧縮バネ１５と接触し、もう一端は前記機械的ロックカム１２、１３と心棒を介して接続される。前記機械的ロックカム１２、１３は機械的ロック環４、１０と係合し、前記機械的ロックカム１２、１３には位置止め突起１２１、１３１が設けられる。
【００８０】
前記機械的ロック環４、１０にフックが設けられ、前記フックは前記位置止め突起１２１、１３１と係合する。
【００８１】
前記機械的ロック筐体３０に２つの第１位置止め孔３０ａが設けられ、２つの前記接続片１４に第２位置止め孔１４ａがそれぞれ対応して設けられる。
【００８２】
動作を説明する。機械的ロック環４がロック解除の反対方向にｍ弧度回転するとき、機械的ロック環４は機械的ロックカム１２を押し上げ、機械的ロックカム１２は圧縮バネ１５を圧縮する。機械的ロックカム１２の末端が回転デッドボルト１６の回転経路上まで回転し、これにより回転デッドボルト１６を回転させてロック解除することができない。機械的ロック環１０、機械的ロックカム１３、圧縮バネ１５及び回転デッドボルト１６の係合方式は類似するため、ここでは述べない。
【００８３】
前記位置止め突起１２１、１３１及び前記機械的ロック環４、１０のフックが係合する作用は次の通りである。機械的ロック環４、１０がロック解除方向に回転するとき、フックが位置止め突起１２１、１３１に掛かり、これにより機械的ロックカム１２、１３を回転デッドボルト１６の回転経路から離脱させる。機械的ロックカム１２、１３が回転デッドボルト１６を妨げ、ロック解除動作に影響を及ぼすのを防止する。
【００８４】
錠前を取り付けるとき、１つの差込ピンを第１位置止め孔３０ａ及び第２位置止め孔１４ａに挿入すると、１つの前記接続片１４は固定され、接続片１４は前記機械的ロック筐体３０内で内に運動することも、外に運動することもない。このときロックされた側の接続片１４はロック解除の反対方向に取っ手を回転させることにより、デッドボルトをロックすることができない。差込ピンを取り付けていないとき、２つの接続片１４はいずれもロックされない。具体的に取り付けるとき、実際の部屋のドアに必要な論理に基づいて選択し、１つの接続片１４をロックするか、又は２つの接続片１４をいずれもロックしないか、又は２つの接続片１４をいずれもロックするかを選択することができ、各種論理の組合せの選択を実現する。
【００８５】
図１〜図８に示すように、前記モータロックシステムＣは、鏡面対称の２組の伝動機構及び鏡面対称の２つの電動位置止めフック１９を含む。２組の伝動機構は１つのモータ２９により駆動される。
【００８６】
前記伝動機構は、前記モータ２９の動力を前記電動位置止めフック１９に伝動する。２組の伝動機構の間に仕切り板１８が設けられ、仕切り板１８に対して鏡面対称である。
【００８７】
前記電動ロック環２、９にフック部が設けられ、前記電動位置止めフック１９は前記フック部と係合する。電動位置止めフック１９が前記電動ロック環２、９のフック部に掛かるとき、電動ロック環２、９はロックされる。
【００８８】
前記伝動機構は歯車伝動であり、２組の伝動機構は仕切り板１８の両側で鏡面対称に配置される。
【００８９】
前記伝動機構は入力歯車２６、第１中間歯車２７、第２中間歯車２５、第３中間歯車２３及び出力歯車２０を含む。前記入力歯車２６は前記第１中間歯車２７と同軸であり、前記第１中間歯車２７、第２中間歯車２５、第３中間歯車２３及び出力歯車２０は順番に噛合する。
【００９０】
前記入力歯車２６は冠歯車であり、前記第１中間歯車２７及び前記第３中間歯車２３はいずれも一方向歯車である。
【００９１】
第１中間歯車２７の一方向回転の実現形態は次の通りである。前記第１中間歯車２７に１つの回転軸が固定される。回転軸に１つのオーバーランニングクラッチ２２が固定して嵌められ、オーバーランニングクラッチ２２にさらに前記第１中間歯車２７が嵌められる。オーバーランニングクラッチ２２の作用は次の通りである。モータが正回転するとき、１つの鏡面の伝動機構が出力し、モータが逆回転するとき、もう１つの鏡面の伝動機構が出力する。すなわち２つの鏡面で、モータの正回転により１つの鏡面の第１中間歯車２７が駆動し、もう１つの鏡面の第１中間歯車２７内に嵌めたオーバーランニングクラッチ２２は空回りする。モータが逆回転するとき、同様に、モータが１つの方向に回転し、１つの伝動機構のみが出力することができる。
【００９２】
第３中間歯車２３の一方向回転の実現形態は次の通りである。錠ケースに１つの回転軸が設置される。回転軸にオーバーランニングクラッチ２２が嵌められ、オーバーランニングクラッチ２２にさらに第３中間歯車２３が嵌められ、第３中間歯車２３はさらに出力歯車２０と噛合する。伝動過程は、第３中間歯車２３の回転が出力歯車２０を駆動するが、出力歯車２０は反対方向に第３中間歯車２３を駆動することはできない。電子錠システムにおいて、ドアの開閉などの振動により歯車が自由に回転するのを防止するのに成功している。歯車の正常な回転方向が前方であると仮定すると、前方への外力は、モータ及びその他すべての歯車を押動する摩擦力にすべての歯車比を乗じた倍率の合計より大きくなければならず、後方へは一方向歯車の最大支持力より大きくなければならず、そうでなければシステムを押動することができない。
【００９３】
オーバーランニングクラッチは電気機械一体化製品の発展に伴って出現した基本部品であり、原動機及び工作機械間、又は機器内部の駆動軸及び従動軸間の動力を伝達及び分離する機能として用いられる重要部品である。これは駆動、従動部分の速度変化又は回転方向の変換を利用して、自ら離合する機能を有する装置である。オーバーランニングクラッチは、ワンウェイ式オーバーランニングクラッチ、ローラ式オーバーランニングクラッチ及びラチェット式オーバーランニングクラッチに分けられる。オーバーランニングクラッチは既存技術であり、ここでは述べない。
【００９４】
最後に、出力歯車２０は前記電動位置止めフック１９を周期的に揺動させる。
【００９５】
図４に示すように、２つの前記伝動機構は１つのモータ２９を共用し、前記モータ２９の出力端に駆動歯車２８が設けられる。前記駆動歯車２８は前記モータの出力軸に嵌められ、前記駆動歯車２８は２つの入力歯車２６とそれぞれ噛合する。両側における２つの電動位置止めフック１９の動作状態は次の通りである。１つの鏡面の電動位置止めフック１９が動作すると、もう１つの鏡面の電動位置止めフック１９は動作しない。モータが正回転及び逆回転するとき、２つの鏡面の電動位置止めフック１９は交互に往復して相応する側の開閉状態を制御する。
【００９６】
図４に示すように、前記電動位置止めフック１９の一端はフック部端であり、前記電動位置止めフック１９のもう一端は心棒接続端である。前記電動位置止めフック１９に楕円貫通孔が設けられ、前記楕円貫通孔は前記フック部端及び前記心棒接続端の間に位置し、電動位置止めフック１９は心棒を中心にして揺動する。
【００９７】
前記出力歯車２０の端面に偏心カラム２０１が設けられ、前記偏心カラム２０１は前記楕円貫通孔を通過する。
【００９８】
前記出力歯車２０が回転するとき、前記偏心カラム２０１は出力歯車２０の固定軸を中心にして公転し、前記偏心カラム２０１は前記電動位置止めフック１９を揺動させる。
【００９９】
電動位置止めフック１９の心棒接続端は異なる位置のモータロック位置センサＡ２を作動させ、これによりトラッキングを実現する。
【０１００】
図３、図４、図６に示すように、前記シリンダ機構Ｂに電動ロック解除カム６が設けられ、前記電動ロック解除カム６は前記制御カラム８、１１と同時に回転する。
【０１０１】
前記モータロックシステムＣは自動ロック解除カム２１、２４をさらに含み、前記出力歯車２０は前記出力歯車２０と共回転軸で同時に回転する。
【０１０２】
２つの前記電動ロック解除カム６はそれぞれ前記自動ロック解除カム２１、２４と係合する。
【０１０３】
偏心カラム２０１は自動ロック解除カム２１、２４の端面に固定され、前記出力歯車２０を通過する。
【０１０４】
制御ロッド８、１１がロック解除の反対方向に回転するとき、機械的ロック環４、１０が機械的ロックカム１２、１３の末端を回転デッドボルト１６のロック解除の回転軌道上に回転させ、回転デッドボルト１６のロックを実現する。モータ２９が電動位置止めフック１９を回転させるとき、自動ロック解除カム２１、２４も同時に回転する。自動ロック解除カム２１、２４が回転するとき、２つの電動ロック解除カム６をそれぞれ回転させる。２つの電動ロック解除カム６は制御ロッド８、１１を準備状態に戻るまで回転させ、すなわち取っ手を準備状態まで戻す。モータ２９が１サイクル回転すると、偏心カラム２０１が楕円貫通孔の短軸の一端からもう一端に運動し、片道の揺動を実現する。モータ２９が自動ロック解除カム２１、２４を回転させるとき、必然的に電動ロック解除カム６を元の位置に動かし、これにより機械的ロックカム１２、１３の回転デッドボルト１６に対するロック解除を実現する。
【０１０５】
図２に示すように、本発明の錠前に位置止めボスがさらに設けられる。回転デッドボルト１６部分に位置止めボスを設けて、デッドボルトのロック解除過程で回転角度が過度に大きくなるのを防止する。さらに、デッドボルト制御環１のロック解除回転方向の反対方向に位置止めボスが設けられ、電動ロック環２、９部分に位置止めボスが設けられる。デッドボルト制御環１のフック構造は引っ張りバネ３に牽引された状態で、回転の変位が留められるが、ロック解除方向の回転の変位はボスに制限されない。
【実施例２】
【０１０６】
さらなる実施例において、図１２〜１８に示すように、電子ロックシステムがプラスチックカードの類の物で無効化され、無理にドアが開かれるのを防止するため、前記実施例を基に、デッドボルト１６の片側に、第１デッドボルト同期部品１６３及び第２デッドボルト同期部品１６４がデッドボルトの回転軸と同軸で設置される。このうち、第２デッドボルト同期部品１６４はデッドボルト１６及び第１デッドボルト同期部品１６３の間に設置される。デッドボルト１６がＺ３回転に沿ってドアをロックするとき、第２デッドボルト同期部品１６４はデッドボルト１６と同期するが、直線で動作し外に延伸する。本実施例において、デッドボルト１６の位置制限突起１６１１は、第１の実施例と比較して、凹状でよいが、これは第１実施例と同じ作用であり、ここでは述べない。第１デッドボルト同期部品１６３及び第２デッドボルト同期部品１６４の追加により、本発明の実施例に伸縮材３１、両端ねじりバネ３２、フック３３をさらに含む。デッドボルト１６がロック解除状態のとき、フック３３はデッドボルト１６に当接する。両端ねじりバネ３２はフック３３内に設置され、一端はフック３３を押さえ、もう一端は機械的ロック筐体３０に当接し、これによりフック３３はデッドボルト１６が回転するとき共に動作することができる。デッドボルト１６の位置制限突起１６１１が通過すると、フック３３はデッドボルト１６に掛かり、デッドボルト１６はドアから出ることができない。伸縮材３１はドアを閉じたとき力を受けて錠前の内部方向に移動することができ、さらには時計回りにフック３３を回転させ、これによりフック３３は位置制限突起１６１１に掛かる範囲から離脱し、デッドボルト１６を解放する。さらに、説明すべきこととして、伸縮材３１の錠前内部から離れた側は弧状であり、全てのタイプのドアに適用される。伸縮材３１、両端ねじりバネ３２及びフック３３の設置により、ドアがドア枠から離れたときデッドボルトが出ないようにすることができ、さらには全体的な調和を向上させる。デッドボルトが不必要に出ることにより、糸、紐、又はその他のロープ状の物が引っかかるのも防止する。同時に、ドアを閉じるとき、デッドボルトのバネ力に抵抗する必要はなく、ドアを閉じる動作をよりスムーズにすることもできる。さらなる技術的効果において、このような設計は使用者がドアを開けるときデッドボルトを思いがけずにロックするのを防止することもできる。デッドボルトは、長期的にドアを開けるときに伸出し、引き戸を閉めるとき、ドア枠に衝突して一定の騒音が生じ、ドアロック自体が損耗する可能性があるが、この設計はデッドボルトがドア枠の一部に衝突するのを避けることができる。さらに、衝突は伸縮材３１に集中する。伸縮材３１に衝突すると、デッドボルト１６は自動的に跳び出すため、引き戸の跳ね返りを防止する機能に影響を及ぼさない。
【０１０７】
以上、本発明が提供する公共空間及び私的空間を問わない錠前について詳細な説明を行った。具体的な実施例の説明は、本発明の方法及びその重要な発想に対する理解を助けるために過ぎない。当業者は、本発明の原理を逸脱しない前提で、本発明に対していくつかの改良及び改変を行うこともでき、これらの改良及び改変も、本発明の特許請求の範囲の保護範囲内にあることを指摘しなければならない。
【０１０８】
以上、本発明が提供するシリンダ及び制御素子について詳細な説明を行った。具体的な実施例の説明は、本発明の方法及びその重要な発想に対する理解を助けるために過ぎない。当業者は、本発明の原理を逸脱しない前提で、本発明に対していくつかの改良及び改変を行うこともでき、これらの改良及び改変も、本発明の特許請求の範囲の保護範囲内にあることを指摘しなければならない。
【図１】
2021529899.tif 000003
【図２】
2021529899.tif 000004
【図３】
2021529899.tif 000005
【図４】
2021529899.tif 000006
【図５】
2021529899.tif 000007
【図６】
2021529899.tif 000008
【図７】
2021529899.tif 000009
【図８】
2021529899.tif 000010
【図９】
2021529899.tif 000011
【図１０】
2021529899.tif 000012
【図１１】
2021529899.tif 000013
【図１２】
2021529899.tif 000014
【図１３】
2021529899.tif 000015
【図１４】
2021529899.tif 000016
【図１５】
2021529899.tif 000017
【図１６】
2021529899.tif 000018
【図１７】
2021529899.tif 000019
【図１８】
2021529899.tif 000020
【国際調査報告】
2021529899.tif 000021
2021529899.tif 000022
2021529899.tif 000023
2021529899.tif 000024